(57)【要約】  音響を最適化するための装置及び方法を開示する。例示的な再生デバイスは、音波の出力と、音波の受信とのうち少なくとも一方を行う第１変換器、音波の出力と、音波の受信とのうち少なくとも一方を行う第２変換器、及び第１変換器に関連して配置されるアコースティックグリル、を備え、アコースティックグリルは、第１入射角度で受信した音波を反射する。
2015528677.tif 000002
【特許請求の範囲】
【請求項１】
音波の出力と、音波の受信とのうち少なくとも一方を行う第１変換器、
音波の出力と、音波の受信とのうち少なくとも一方を行う第２変換器、ここで第２変換器は第１変換器に隣接して配置される、
第１変換器に関連して配置されるアコースティックグリル、
を備え、
アコースティックグリルは、第１入射角度で受信した音波を反射する、再生デバイス。
【請求項２】
アコースティックグリルは、第２入射角度で受信した音波を通過させる、請求項１に記載の再生デバイス。
【請求項３】
アコースティックグリルは、閾値角度を有し、
第１入射角度は、閾値角度より小さい、請求項２に記載の再生デバイス。
【請求項４】
第２入射角度は、閾値角度より大きい、請求項３に記載の再生デバイス。
【請求項５】
アコースティックグリルは、第１変換器上に配置される、請求項１に記載の再生デバイス。
【請求項６】
アコースティックグリルは、第２変換器のバッフルと実質的に同一平面に配置される、請求項５に記載の再生デバイス。
【請求項７】
アコースティックグリルは、第１変換器と第２変換器との間の音波干渉を抑制する、請求項６に記載の再生デバイス。
【請求項８】
アコースティックグリルは、第１変換器と第２変換器との間に配置される、請求項１に記載の再生デバイス。
【請求項９】
アコースティックグリルの位置は、第１変換器と第２変換器との間の音波の分離を向上させる、請求項８に記載の再生デバイス。
【請求項１０】
第１変換器は、音波を受信し、
第２変換器は、少なくとも音波を出力し、
アコースティックグリルは、第１変換器によって受信される出力音波を反射する、請求項１に記載の再生デバイス。
【請求項１１】
少なくとも第１波成分と、第２波成分と、を有する音波を調整する方法であって、
アコースティックグリルにおいて、第１波成分を第１入射角度で受信するステップ、ここでアコースティックグリルは複数の変換器に関連して配置される、
アコースティックグリルにおいて、第２波成分を第２入射角度で受信するステップ、
第１波成分を、第１入射角度に基づいて反射するステップ、
第２波成分を、第２入射角度に基づいて通過させるステップ、
を含み、
第１入射角度は閾値角度より小さい、方法。
【請求項１２】
第２入射角度は、閾値角度より大きい、請求項１１に記載の方法。
【請求項１３】
アコースティックグリルは、複数の変換器間に配置される、請求項１１に記載の方法。
【請求項１４】
アコースティックグリルは、複数の変換器間の音波の干渉を低減する、請求項１３に記載の方法。
【請求項１５】
複数の変換器の一部は、アコースティックグリルを通過した音波の成分を受信する、請求項１１に記載の方法。
【請求項１６】
音波ソースの位置は、複数の変換器の一部に基づいて特定される、請求項１５に記載の方法。
【請求項１７】
アコースティックグリルは、複数の変換器のうち１つ以上の変換器間に配置される、請求項１１に記載の方法。
【請求項１８】
アコースティックグリルは、複数の変換器のうち１つ以上の変換器間の音波の分離を向上させる、請求項１７に記載の方法。
【請求項１９】
第１変換器と、第２表面に対向する第１表面と、を有する第１バッフル、ここで第１変換器は第１表面に設けられている、
第１バッフルに隣接して配置される第２バッフル、
第１バッフルの上部に配置され、第２バッフルと実質的に同一平面に配置されるアコースティックグリル、
を備え、
第２バッフルは、第２変換器と、第４表面に対向する第３表面と、を有し、第２変換器は第３表面に設けられており、第３表面と第４表面との間の距離は第１表面と第２表面との間の距離と異なる、
アコースティックグリルは、第１入射角度で受信した音波を反射し、第２入射角度で受信した音波を通過させ、アコースティックグリルの位置は、第１変換器と第２変換器との間の音波の干渉を実質的に抑制する、再生デバイス。
【請求項２０】
アコースティックグリルの位置は、第１変換器と第２変換器との間の音波の分離を向上させる、請求項１９に記載の再生デバイス。
【発明の詳細な説明】
【技術分野】
【０００１】
本願は、コンシューマ製品に関するものであり、特に、メディア再生に向けられたシステム、製品、機能、サービス、及び他のアイテムに関するものや、それらのいくつかの態様に関する。
【背景技術】
【０００２】
技術の進歩のおかげで、音楽コンテンツだけでなく、他の種類のメディア、例えば、テレビコンテンツ、ムービー、及び対話型コンテンツなどにアクセスしやすくなっている。例えば、ユーザは、従来のオーディオ及びビデオコンテンツにアクセスする従来の手段に加えて、オンラインストア、インターネットラジオ局、音楽サービス、ムービーサービスなどを通じて、インターネット上のオーディオ、ビデオ、オーディオとビデオの両方のコンテンツにアクセスすることができる。家の内外における音楽、映像、及びオーディオ・ビデオコンテンツへの需要は、高まり続けている。
【０００３】
本発明の技術の特徴、態様、及び利点は、以下の記載、添付の特許請求の範囲、及び添付の図面を参照するとより理解しやすい。
【図面の簡単な説明】
【０００４】
【図１】図１は、本発明の実施形態の例示的な構成を示す。
【図２Ａ】図２Ａは、内蔵アンプと変換器とを備えるゾーンプレーヤーの例を示す。
【図２Ｂ】図２Ｂは、内蔵アンプを備え、外部スピーカーに接続されたゾーンプレーヤーの例を示す。
【図２Ｃ】図２Ｃは、Ａ／Ｖ受信機とスピーカーとに接続されたゾーンプレーヤーの例を示す。
【図３】図３は、コントローラの例を示す。
【図４】図４は、ゾーンプレーヤーの例として内部機能ブロック図を示す。
【図５】図５は、コントローラの例として内部機能ブロック図を示す。
【図６】図６は、例示的なアドホック再生ネットワークを示す。
【図７】図７は、クラウドベースネットワークと、少なくとも一つのローカル再生ネットワークとを有する複数のネットワークを含むシステムを示す。
【図８】図８は、例示的なアコースティックグリルを含む再生デバイスの一例の側面図を示す。
【図９】図９は、例示的なアコースティックグリルを含む再生デバイスの一例の斜視図を示す。
【図１０】図１０は、例示的な第１及び第２のツイーター、例示的な第１及び第２のミッドレンジドライバ、及び例示的なローレンジウーファーを含む再生デバイスの一例を示す。
【図１１】図１１は、例示的な再生デバイスと、例示的な第１及び第２のツイーターと、例示的な第１及び第２のアコースティックグリルとの側面図を示す。
【図１２】図１２は、複数の変換再生デバイス内の音響を最適化するための例示的な処理を表すフローチャートを示す。
【図１３】図１３は、複数の変換再生デバイス内の音響を最適化するための別の例示的な処理を表すフローチャートを示す。
【発明を実施するための形態】
【０００５】
さらに、図面は、いくつかの例示的な実施形態を説明することを目的としているが、本発明が、図面に示した配置及び手段に限定されるものではないことは理解される。
【０００６】
Ｉ．概要
本明細書に開示された特定の実施形態は、アコースティックグリルを介して複数の音響変換器を有するオーディオデバイスにおける音響を最適化することができる。音響変換器（「ドライバ」とも呼ばれる）は、一般的には、音波を出力するものであり、音波を受信するものであり、又は音波を送受信するものである。例えば、オーディオ再生デバイスは、ツイーター、ミッドレンジドライバ、ローレンジドライバ、及び／又はツイーターとミッドレンジドライバとローレンジドライバとのいくつかの他の組み合わせを含んでもよい。しかしながら、再生デバイスの構造（例えば、筐体、バッフル、隣接する変換器の近さ等）は、隣接する変換器の音波間で干渉パターンを生じさせることが多々ある。これらの干渉パターンは、好ましくない場合が多く、例えば、オーディオ歪み（例えば、ドップラー又は相互変調ひずみ（ＩＭＤ））、若しくは（例えば、コムフィルタリングとしての周波数応答に見られるように）位相ずれを生じさせる。
【０００７】
別の例では、オーディオ再生デバイスは、少なくとも２つのドライバ（例えば、ミッドレンジドライバ）を含み、１つのドライバは音波を出力し、もう１つのドライバは音波を受信してもよい。隣接するドライバが干渉する可能性があり、音波を出力しているドライバからの音波が、音波を受信しているドライバから受信される可能性がある。この干渉は、多くの場合、フィードバック又はノイズとして現れる。
【０００８】
更に別の例では、オーディオ受信デバイスは、音波を受信する複数の音響変換器を含んでもよい。例えば、２次元マイクロフォン配列は、４つのミッドレンジドライバを含み、壁又は平面上に設けられた大きなプレゼンテーションボードの四隅でオーディオを受信してもよい。音波を受信することに加えて、マイクロフォン配列は、プレゼンテーションボードに関連するオーディオソースのおおよその位置を検出するために使用されてもよい（例えば、プレゼンテーションをしている人の位置を検出するために使用されてもよい）。しかしながら、オーディオソースの音波は、各マイクロフォンに様々な角度で到達してもよく、各マイクロフォンは、同様の、又は実質的に同様のレベル測定（例えば、音圧レベル（ＳＰＬ）、電気信号出力等）を与えている。
【０００９】
本明細書に開示された例は、アコースティックグリルを介して音響出力を最適化することができる。本明細書に開示された例は、音響の遮断特性が可変な材料（ｖａｒｉａｂｌｅ−ａｃｏｕｓｔｉｃ−ｏｐａｃｉｔｙ  ｍａｔｅｒｉａｌ）で構成されるアコースティックグリルを提供する。材料の特性によって、高入射角度の波成分がアコースティックグリルを通過することができる。更に、材料の特性は、低入射角度の波成分がアコースティックグリルを通過することを妨げる（、又は反射する）。更なる実施形態が本明細書に述べられている。
【００１０】
ＩＩ．動作環境の例
図面を参照すると、同様のパーツに対しては、複数の図面において、同様の符号を付している。図１は、本明細書で開示された１つ以上の実施形態が実行可能な、又は実施可能なシステム構成１００の例を示している。
【００１１】
例示のために、システム構成１００は、複数のゾーンを備えるホームを示し、ホームは１つのゾーンのみで構成することができる。各ゾーンは、例えば、オフィス、浴室、寝室、キッチン、ダイニングルーム、ファミリールーム、ホームシアタールーム、ユーティリティ又はランドリールーム、及びパティオなどの異なる部屋又はスペースを示してもよい。そのように構成されている場合では、１つのゾーンが複数の部屋又はスペースを含んでいてもよい。各ゾーンに１つ以上のゾーンプレーヤー１０２−１２４が示されている。ゾーンプレーヤー１０２−１２４は、再生デバイス、マルチメディアユニット、スピーカー、プレーヤーなどと呼ばれ、オーディオ、ビデオ、及び／又はオーディオビジュアルの出力を行う。コントローラ１３０（例えば、図示の目的のためキッチン内に示されているコントローラ）は、システム構成１００の制御を行う。コントローラ１３０は、ゾーンに固定されていてもよいし、あるいは、コントローラ１３０は、ゾーンの周りを移動可能な移動体であってもよい。システム構成１００は、複数のコントローラ１３０を含んでもよい。システム構成１００は、例示的なハウスオーディオシステム全体を表すが、本明細書に記載の技術は、これらの特定の場所への用途に限定されず、又、図１のハウスオーディオシステム１００全体のような広範囲のシステムにも限定されない。
【００１２】
ａ．ゾーンプレーヤーの例
図２Ａ、図２Ｂ、図２Ｃは、様々な種類のゾーンプレーヤーの例を示している。例えば、図２Ａ、図２Ｂ、図２Ｃのゾーンプレーヤー２００、２０２、及び２０４は、それぞれ、図１のゾーンプレーヤー１０２−１２４のいずれにも対応できる。いくつかの実施形態では、オーディオが、フルレンジプレーヤー等の単一のゾーンプレーヤーのみから再生されてもよい。いくつかの実施形態では、オーディオは、２つ以上のゾーンプレーヤー、例えば、複数のフルレンジプレーヤーの組み合わせ、又はフルレンジプレーヤーと特定のプレーヤーとの組み合わせ等によって再生されてもよい。いくつかの実施形態では、ゾーンプレーヤー２００−２０４はまた、「スマートスピーカー」と呼ばれてもよい。この理由は、オーディオ再生を超えた処理能力を備えているからであり、以下に詳細に述べられている。
【００１３】
図２Ａは、フルレンジサウンドを再生可能なサウンド生成機器２０８を含むゾーンプレーヤー２００を示す。サウンドは、オーディオ信号から得られ、オーディオ信号は、有線データネットワーク上で、又は無線データネットワーク上でゾーンプレーヤー２００によって受信することができる。サウンド生成機器２０８は、１つ以上の内蔵アンプと、１つ以上の音響変換器（例えば、スピーカー）を含む。内蔵アンプは、図４に関連付けて以下にさらに詳細に述べられている。スピーカー又は音響変換器は、例えば、ツイーター、ミッドレンジドライバ、低域ドライバ、及びサブウーファーのいずれかを含んでいてもよい。いくつかの実施形態では、ゾーンプレーヤー２００は、ステレオオーディオ、モノラルオーディオ、又はその両方を再生するように静的に又は動的に構成することができる。いくつかの実施形態では、ゾーンプレーヤー２００が他のゾーンプレーヤーとグループ化されてもよい。ステレオオーディオ、モノラルオーディオ、及び／又はサラウンドオーディオを再生するとき、又はゾーンプレーヤー２００によって受信したオーディオコンテンツがフルレンジより低いとき、ゾーンプレーヤー２００は、フルレンジサウンドのサブセットを再生するように構成することもできる。
【００１４】
図２Ｂは、分離したスピーカー２１０に電力を供給する内蔵アンプを含むゾーンプレーヤー２０２を示す。分離したスピーカーは、例えば、任意のタイプのラウドスピーカーを含むことができる。ゾーンプレーヤー２０２は、１つ、２つ、又はそれより多い数の別々のラウドスピーカーに電力を供給するように構成されてもよい。ゾーンプレーヤー２０２は、有線パスを通じてオーディオ信号（例えば、右又は左のチャンネルオーディオ又はその構成に応じた数のチャンネル）を分離したスピーカー２１０に対して通信するように構成されている。
【００１５】
図２Ｃは、内蔵アンプを含まないが、データネットワーク上で受信したオーディオ信号を、内蔵アンプを備えるオーディオ（又は「オーディオ／ビデオ」）受信器２１４に通信するゾーンプレーヤー２０４を示している。
【００１６】
図１に戻って、いくつかの実施形態では、１つ、いくつか、又はすべてのゾーンプレーヤー１０２−１２４は、ソースから直接オーディオを取り出すことができる。例えば、ゾーンプレーヤーは、再生されるべきオーディオコンテンツの再生リスト又は列（本明細書では、「再生列」とも呼ばれる）を含んでいてもよい。再生列内の各項目は、ユーアールアイ（ＵＲＩ）又はいくつかの他の識別子を含んでいてもよい。ＵＲＩ又は識別子は、オーディオソースに対するゾーンプレーヤーを指し示すことができる。ソースは、インターネット（例えば、クラウド）上で見つけられるかもしれないし、データネットワーク１２８上の別のデバイス（以下に更に述べられている）、ゾーンプレーヤー自体に格納されたコントローラ１３０からローカルに見つかるかもしれないし、又はゾーンプレーヤーと直接通信するオーディオソースから見つかるかもしれない。いくつかの実施形態では、ゾーンプレーヤーは、オーディオそのものを再生できるし、オーディオを再生するために別のデバイスに送信できるし、又はゾーンプレーヤーと１つ以上の追加のゾーンプレーヤーとを同期してオーディオを再生することもできる。いくつかの実施形態では、再生するために別のゾーンプレーヤーに異なる第２オーディオコンテンツを送信している間、ゾーンプレーヤーは、第１オーディオコンテンツを再生することができる（又は全く再生できない）。
【００１７】
例として、現在、カリフォルニア州サンタバーバラのソノズ・インコーポレイテッドは、「ＰＬＡＹ：５」、「ＰＬＡＹ：３」、「ＣＯＮＮＥＣＴ：ＡＭＰ」、「ＣＯＮＮＥＣＴ」、及び「ＳＵＢ」と呼ばれるゾーンプレーヤーを販売提供している。他の過去、現在、及び／又は将来の任意のゾーンプレーヤーは、追加的に又は代替的に本明細書で開示された実施例のゾーンプレーヤーに実装して使用することができる。更に、ゾーンプレーヤーは、図２Ａ、図２Ｂ、及び図２Ｃに示された特定の例又は提供されるソノズ製品に限定されないことを理解する。例えば、ゾーンプレーヤーは、有線のヘッドホン又は無線のヘッドホンを含んでもよい。更に別の例では、ゾーンプレーヤーは、テレビ用のサウンドバーを含んでいてもよい。更に別の例では、ゾーンプレーヤーは、アップル社のＩＰＯＤ（商標）又は同様のデバイス用のドッキングステーションを含むことができるし、又、それらと対話することができる。
【００１８】
ｂ．コントローラの例
図３は、ドッキングステーション３０２内の無線コントローラ３００の例を示す。例として、コントローラ３００は、図１の制御デバイス１３０に対応可能である。ドッキングステーション３０２が備えられている場合、ドッキングステーション３０２は、コントローラ３００のバッテリーを充電するために使用されてもよい。いくつかの実施形態では、コントローラ３００は、タッチスクリーン３０４を備えており、ユーザは、タッチスクリーン３０４をタッチすることでコントローラ３００と対話可能となっている。例えば、ユーザは、オーディオコンテンツの再生リストを取り出し、ナビゲートし、１つ以上のゾーンプレーヤーの動作を制御し、システム構成１００の全体を制御することができる。ある実施形態では、任意の数のコントローラを使用して、システム構成１００を制御することができる。いくつかの実施形態では、システム構成１００を制御可能なコントローラの数を制限することができる。コントローラは、無線コントローラ３００のように無線であってもよいし、又はデータネットワーク１２８に有線で接続されてもよい。
【００１９】
いくつかの実施形態では、複数のコントローラがシステム１００に使用される場合、各コントローラは、共通のコンテンツを表示するために調整されてもよいし、すべてのコントローラを動的に更新し、１つのコントローラで行われた変更を示してもよい。調整は、例えば、コントローラによって、１つ以上のゾーンプレーヤーから直接又は間接的に状態変数を定期的に要求することによって行われてもよい。状態変数は、システム１００についての情報を提供してもよく、例えば、現在のゾーングループ構成、１つ以上のゾーンで再生しているもの、ボリュームレベル、及び興味のある他の項目などを提供してもよい。状態変数は、必要に応じて、又は多くの場合プログラムされて、ゾーンプレーヤー（及び、もし望むのであれば、コントローラ）間のデータネットワーク１２８上に渡されてもよい。
【００２０】
更に、任意のネットワーク対応携帯デバイス、例えば、ＩＰＨＯＮＥ（登録商標）、ＩＰＡＤ（登録商標）、ＡＮＤＲＯＩＤ（登録商標）対応電話、又は任意の他のスマートフォン若しくはネットワーク対応デバイスなどで実行されるアプリケーションが、データネットワーク１２８に接続することによってコントローラとして使用できる。ラップトップ又はデスクトップパーソナルコンピュータ（ＰＣ）若しくはＭＡＣ（登録商標）上で実行されるアプリケーションも、コントローラ１３０として使用される。そのようなコントローラは、データネットワーク１２８、ゾーンプレーヤー、無線ルータを備えるインタフェースを通じてシステム１００に接続されるか、又はいくつかの他の構成された接続パスを使用してシステム１００に接続されてもよい。カリフォルニア州サンタバーバラのソノズ・インコーポレイテッドが提供するコントローラの例としては、「コントローラ２００」、「ＳＯＮＯＳ（登録商標）  ＣＯＮＴＲＯＬ」、「ＳＯＮＯＳ（登録商標）  Ｃｏｎｔｒｏｌｌｅｒ  ｆｏｒ  ｉＰｈｏｎｅ」、「ＳＯＮＯＳ（登録商標）  Ｃｏｎｔｒｏｌｌｅｒ  ｆｏｒ  ＩＰＡＤ（登録商標）」、「ＳＯＮＯＳ（登録商標）  Ｃｏｎｔｒｏｌｌｅｒ  ｆｏｒ  ＡＮＤＲＯＩＤ（登録商標）」、「ＳＯＮＯＳ（登録商標）  Ｃｏｎｔｒｏｌｌｅｒ  ｆｏｒ  ＭＡＣ又はＰＣ」を含む。
【００２１】
ｃ．データ接続の例
図１のゾーンプレーヤー１０２−１２４は、直接又は間接的にデータネットワーク、例えばデータネットワーク１２８に接続される。コントローラ１３０は、直接又は間接的にデータネットワーク１２８に接続されるか、又は個別にゾーンプレーヤーに接続されてもよい。データネットワーク１２８は、示された他の構成要素から目立つように図中に八角形で示されている。データネットワーク１２８が１つの場所に示されているが、そのようなネットワークは、システム１００の中及び周りに配置されることが理解される。特に、データネットワーク１２８は、有線ネットワーク、無線ネットワーク、又は有線ネットワークと無線ネットワークの両方の組み合わせとすることができる。いくつかの実施形態では、ゾーンプレーヤー１０２−１２４の１つ以上は、専有のメッシュネットワークに基づいて、データネットワーク１２８に無線で接続されている。いくつかの実施形態では、ゾーンプレーヤー１０２−１２４の１つ以上は、非メッシュトポロジーを使用して、データネットワーク１２８に無線で接続される。いくつかの実施形態では、ゾーンプレーヤー１０２−１２４の１つ以上は、イーサネット（登録商標）又は同様の技術を使用し、データネットワーク１２８への有線を介して接続されている。１つ以上のゾーンプレーヤー１０２−１２４をデータネットワーク１２８に接続することに加えて、データネットワーク１２８は、更に、例えば、インターネットなどのワイドエリアネットワークにアクセス可能である。
【００２２】
いくつかの実施形態では、ゾーンプレーヤー１０２−１２４のいくつかをブロードバンドルータに接続することによって、又はいくつかの他の接続デバイスをブロードバンドルータに接続することによって、データネットワーク１２８が形成されてもよい。次に、他のゾーンプレーヤー１０２−１２４は、データネットワーク１２８に対して有線で追加することができるか、又は無線で追加することができる。例えば、ゾーンプレーヤー（例えば、ゾーンプレーヤー１０２−１２４のいずれか）は、ゾーンプレーヤーに設けられたボタンを単に押すことによって、システム構成１００に追加され（又はいくつかの他のアクションを実行し）、データネットワーク１２８への接続を可能にしている。ブロードバンドルータは、例えば、インターネットサービスプロバイダ（ＩＳＰ）に接続することができる。ブロードバンドルータは、他のアプリケーション（例えば、ウェブサーフィン）に使用可能なシステム構成１００内の別のデータネットワークを形成するために使用することができる。データネットワーク１２８はまた、そのようにプログラムされている場合にも使用することができる。一例では、第２ネットワークは、サンタバーバラのソノズ・インコーポレイテッドによって開発されたＳＯＮＯＳＮＥＴ（商標）プロトコルを実装してもよい。ＳＯＮＯＳＮＥＴ（商標）は、安全で、ＡＥＳ暗号化された、ピア・ツー・ピアの無線メッシュネットワークを表す。あるいは、ある実施形態では、データネットワーク１２８は、家庭内の他の用途に使用されるネットワーク、例えば従来の有線ネットワーク又は無線ネットワークと同じネットワークである。
【００２３】
ｄ．ゾーン構成の例
特定のゾーンは、１つ以上のゾーンプレーヤーを含むことができる。例えば、図１のファミリールームでは、２つのゾーンプレーヤー１０６及び１０８を含んでおり、一方キッチンでは、１つのゾーンプレーヤー１０２を備えていることが示されている。別の例では、ホームシアタールームは、５．１チャンネル以上のオーディオソースからのオーディオ（例えば、５．１以上のオーディオチャネルでエンコードされたムービー）を再生する追加のゾーンプレーヤーを有する。いくつかの実施形態では、１つは、ルーム内又はスペース内にゾーンプレーヤーを配置し、コントローラ１３０を介してゾーンプレーヤーを新しいゾーンに割り当てるか、又は既存のゾーンに割り当てることができる。そのように、ゾーンが形成されてもよく、ゾーンが別のゾーンと組み合わされてもよく、ゾーンが取り除かれてもよく、ゾーンに特定の名前（例えば、「キッチン」）が与えられてもよい。また、望むのならば、コントローラ１３０でそのようにするようにプログラムされてもよい。さらに、いくつかの実施形態では、コントローラ１３０又はいくつかの他の機構を使用して構成された後においても、ゾーン構成は、動的に変更してもよい。
【００２４】
いくつかの実施形態では、ゾーンが、２つ以上のゾーンプレーヤー、例えば、ファミリールームにおいて２つのゾーンプレーヤー１０６及び１０８を含む場合、２つのゾーンプレーヤー１０６及び１０８は、同じオーディオソースを同期して再生するように構成することができる。また、２つのゾーンプレーヤー１０６及び１０８は、例えば、左と右のチャンネルのように、２つの別のサウンドを再生するようにペアにすることもできる。言い換えれば、一方を左サウンド用、他方を右サウンド用として使用する２つのゾーンプレーヤー１０６及び１０８を通して、サウンドのステレオ効果が再現されてもよいし、又は強化されてもよい。ある実施形態では、ペアのゾーンプレーヤー（「結合したゾーンプレーヤー」とも呼ばれる）は、同じゾーン又は異なるゾーンにおける他のゾーンプレーヤーと同期してオーディオを再生することもできる。
【００２５】
いくつかの実施形態では、２つ以上のゾーンプレーヤーを音響的に統合し、単一の統合されたゾーンプレーヤーを形成することができる。統合されたゾーンプレーヤーは、追加のスピーカードライバを通ってサウンドが流れるため、（複数の異なるデバイスから構成されている）統合されたゾーンプレーヤーは、統合されていないゾーンプレーヤー又はペアにされたゾーンプレーヤーと比べて、サウンドの処理や再現を異なるように構成することができる。統合されたゾーンプレーヤーは、更に、単一のゾーンプレーヤー又は他の統合されたゾーンプレーヤーとペアにすることができる。統合された再生デバイスのそれぞれの再生デバイスは、例えば、統合モードに設定されることができる。
【００２６】
いくつかの実施形態によれば、ユーザは、ゾーンプレーヤーのグループ化、統合、ペアリング等のいずれかを行い続け、所望の構成を完成させることができる。グループ化、統合、及びペアリングの操作は、好ましくは、例えば、コントローラ１３０を使用するなどの制御インタフェースを通じて行われ、異なる構成を作成するようにスピーカーワイヤーを、例えば、個々の、離れたスピーカーに物理的に接続及び再接続することなく行われる。このように、本明細書内で述べられた特定の実施形態は、より柔軟で動的なプラットフォームを提供し、サウンド再生をエンドユーザに提供することができる。
【００２７】
ｅ．オーディオソースの例
いくつかの実施形態では、各ゾーンは、別のゾーンのオーディオソースと同じオーディオソースから再生することができる。また、各ゾーンは、それぞれ異なるオーディオソースで再生することもできる。例えば、誰かがパティオ上でグリルしながら（ｇｒｉｌｌｉｎｇ）、ゾーンプレーヤー１２４を介してジャズ音楽を聞くことができる。また、誰かがキッチンで食事の準備をしながらゾーンプレーヤー１０２を介してクラシック音楽を聞くこともできる。さらに、誰かがオフィスにいながら、パティオ上でゾーンプレーヤー１２４を介して再生されているジャズ音楽と同じ音楽を、ゾーンプレーヤー１１０を介して聞くこともできる。いくつかの実施形態では、ゾーンプレーヤー１１０と１２４を介して再生されるジャズ音楽が、同期して再生される。複数のゾーン間で再生を同期することで、オーディオを途切れさせることなく（又はほぼ途切れさせることなく）聞きながら、ユーザは、複数のゾーンを移動することができる。さらに、ゾーンを「パーティーモード」とし、連結された全てのゾーンが同期してオーディオを再生することもできる。
【００２８】
ゾーンプレーヤー１０２−１２４によって再生されるオーディオコンテンツのソースは、多数ある。いくつかの実施形態では、ゾーンプレーヤー自体が有する音楽にアクセスされ、その音楽が再生されてもよい。いくつかの実施形態では、コンピュータ又はネットワーク接続ストレージ（ＮＡＳ）上に格納された個人のライブラリから、データネットワーク１２８を介してアクセスされ、音楽が再生されてもよい。いくつかの実施形態では、インターネットラジオ局、番組、及びポッドキャストが、データネットワーク１２８を介してアクセスすることができる。ユーザに音楽とオーディオコンテンツを流し、及び／又はダウンロードさせる音楽サービス又はクラウドサービスは、データネットワーク１２８を介してアクセスできる。さらに、音楽は、例えば、ターンテーブル又はＣＤプレーヤーなどの従来のソースから、ラインイン接続を介してゾーンプレーヤーに接続して得られてもよい。オーディオコンテンツはまた、異なるプロトコル、例えば、アップル社のＡＩＲＰＬＡＹ（商標）ワイヤレス技術を使用して、アクセスすることができる。１つ以上のソースから受信されたオーディオコンテンツは、データネットワーク１２８及び／又はコントローラ１３０を介して、ゾーンプレーヤー１０２から１２４の間で共有することができる。上述したオーディオコンテンツのソースは、本明細書において、ネットワークベースのオーディオ情報ソースと呼ばれる。しかしながら、ネットワークベースのオーディオ情報は、それらに限定されない。
【００２９】
いくつかの実施形態では、例示のホームシアターゾーンプレーヤー１１６、１１８、１２０は、テレビ１３２などのオーディオ情報ソースに接続されている。いくつかの例では、テレビ１３２が、ホームシアターゾーンプレーヤー１１６、１１８、１２０のためのオーディオソースとして使用されており、一方、他の例においては、テレビ１３２からのオーディオ情報がオーディオシステム１００内のゾーンプレーヤー１０２−１２４のいずれかと共有することができる。
【００３０】
ＩＩＩ．ゾーンプレーヤーの例
図４を参照すると、実施の形態に関連するゾーンプレーヤー４００の例示的なブロック図が示されている。図４のゾーンプレーヤー４００は、ネットワークインタフェース４０２、プロセッサ４０８、メモリ４１０、オーディオ処理コンポーネント４１２、１つ以上のモジュール４１４、オーディオアンプ４１６、及びスピーカーユニット４１８を含む。スピーカーユニット４１８は、オーディオアンプ４１６に接続されている。図２Ａは、そのようなゾーンプレーヤーの例を図示している。他のタイプのゾーンプレーヤーは、（例えば、図２Ｂに示される）スピーカーユニット４１８又は（例えば、図２Ｃに示される）オーディオアンプ４１６を含まなくてもよい。さらに、ゾーンプレーヤー４００は、別のコンポーネントに統合できることが意図されている。例えば、ゾーンプレーヤー４００は、屋内又は屋外で使用するテレビ、照明、又はいくつかの他のデバイスの一部として構成することができる。
【００３１】
いくつかの実施形態では、ネットワークインタフェース４０２は、データネットワーク１２８上のゾーンプレーヤー４００と他のデバイスとの間のデータフローを可能にする。いくつかの実施形態では、データネットワーク１２８上の別のゾーンプレーヤー又はデバイスからオーディオを取得することに加えて、ゾーンプレーヤー４００は、オーディオソースから、例えば、ワイドエリアネットワーク上のオーディオソースから、又はローカルネットワーク上のオーディオソースから直接オーディオにアクセスできる。更に、いくつかの実施形態では、ネットワークインタフェース４０２は、各パケットのアドレス部を扱い、各パケットが正しい宛先に到達するように、ゾーンプレーヤー４００に向かうべきパケットを受信する。したがって、特定の実施形態では、パケットのそれぞれは、ＩＰベースのソースアドレスだけでなくＩＰベースの宛先アドレスも含む。
【００３２】
いくつかの実施形態では、ネットワークインタフェース４０２は、無線インタフェース４０４と有線インタフェース４０６とのどちらか一方又は両方を含むことができる。無線インタフェース４０２は、無線周波数（ＲＦ）インタフェースとも呼ばれ、ゾーンプレーヤー４００にネットワークインタフェース機能を提供し、通信プロトコル（例えば、無線規格ＩＥＥＥ８０２．１１ａ、８０２．１１ｂ、８０２．１１ｇ、８０２．１１ｎ、又は８０２．１５を含む無線基準（規格）のいずれか）に従って他のデバイス（例えば、他のゾーンプレーヤー、スピーカー、受信機、データネットワーク１２８に関連付けられたコンポーネントなど）と無線で通信する。無線インタフェース４０４は、１つ以上の無線機を含んでもよい。無線信号を受信すると共に、無線信号を無線インタフェース４０４に提供し、かつ無線信号を送信するため、ゾーンプレーヤー４００は、１つ以上のアンテナ４２０を含む。有線インタフェース４０６は、ネットワークインタフェース機能をゾーンプレーヤー４００に提供し、通信プロトコル（例えば、ＩＥＥＥ８０２．３）に従って他のデバイスと有線で通信する。いくつかの実施形態では、ゾーンプレーヤー４００は、複数の無線４０４インタフェースを含む。いくつかの実施形態では、ゾーンプレーヤーは、複数の有線４０６インタフェースを含む。いくつかの実施形態では、ゾーンプレーヤーは、インタフェース４０４と４０６の両方を含む。いくつかの実施形態では、ゾーンプレーヤー４００は、無線インタフェース４０４のみを含むか、又は有線インタフェース４０６のみを含む。
【００３３】
いくつかの実施形態では、プロセッサ４０８は、クロック駆動の電子デバイスであり、コンピュータのメモリ４１０に記憶された命令に従って、入力データを処理するように構成されている。メモリ４１０は、１つ以上のソフトウェアモジュール４１４を搭載することができるデータストレージであり、コンピュータのプロセッサ４０８によって実行されることで特定のタスクを実行することができる。図示された実施形態では、メモリ４１０は、有形のコンピュータ読取可能記憶媒体であって、プロセッサ４０８によって実行可能な命令を記憶している。いくつかの実施形態では、タスクとは、ゾーンプレーヤー４００が別のゾーンプレーヤー又はネットワーク上のデバイスから（例えば、ユーアールエル（ＵＲＬ）又はいくつかの他の識別子を使用して）オーディオデータを取得することであってもよい。いくつかの実施形態では、タスクは、ゾーンプレーヤー４００が別のゾーンプレーヤーにオーディオデータを送信することか、又はネットワーク上のデバイスにオーディオデータを送信することであってもよい。いくつかの実施形態では、タスクは、ゾーンプレーヤー４００のオーディオの再生を１つ以上の追加のゾーンプレーヤーと同期させることであってもよい。いくつかの実施形態では、タスクは、ゾーンプレーヤー４００を１つ以上のゾーンプレーヤーとペアにし、マルチチャネルオーディオ環境を作成することであってもよい。追加のタスク又は代替的なタスクは、１つ以上のソフトウェアモジュール４１４及びプロセッサ４０８を介して実行することができる。
【００３４】
オーディオ処理コンポーネント４１２は、１つ以上のデジタル−アナログ変換器（ＤＡＣ）、オーディオ前処理コンポーネント、オーディオ強化コンポーネント又はデジタル信号プロセッサなどを含むことができる。いくつかの実施形態では、オーディオ処理コンポーネント４１２は、プロセッサ４０８の一部であってもよい。いくつかの実施形態では、ネットワークインタフェース４０２を介して取り出されたオーディオは、オーディオ処理コンポーネント４１２によって処理される、及び／又は意図的に変更される。さらに、オーディオ処理コンポーネント４１２は、アナログオーディオ信号を生成することができる。処理されたアナログオーディオ信号は、オーディオアンプ４１６に提供され、スピーカー４１８を通して再生される。また、オーディオ処理コンポーネント４１２は、ゾーンプレーヤー４００から再生するための入力としてアナログ又はデジタル信号を処理し、ネットワーク上の別のゾーンプレーヤーに送信することができる。また、オーディオ処理コンポーネント４１２は、ネットワーク上の別のデバイスに再生と送信の両方を行うために回路を含むこともできる。入力の例としては、ラインイン接続（例えば、オートディテクティング３．５ｍｍオーディオラインイン接続）を含む。
【００３５】
オーディオアンプ４１６は、１つ以上のスピーカー４１８を駆動できるレベルまでオーディオ信号を増幅するデバイスである。１つ以上のスピーカー４１８は、個々の変換器（例えば、「ドライバ」）又は１つ以上のドライバを内包する筐体を含んだ完全なスピーカーシステムを含むことができる。特定のドライバは、例えば、サブウーファー（例えば、低周波用）、ミッドレンジドライバ（例えば、中間周波用）、及びツイーター（例えば、高周波用）であってもよい。筐体は、例えば、密封することもでき、又は移植することもできる。各変換器は、それ自体の個々の増幅器によって駆動されてもよい。
【００３６】
現在、市販されている例として知られているゾーンプレーヤーとして、内蔵アンプとスピーカーとを備えるＰＬＡＹ：５（商標）がある。ＰＬＡＹ：５（商標）は、例えば、インターネット又はローカルネットワークなどのソースから直接オーディオを取り出すことができる。特に、ＰＬＡＹ：５（商標）は、５アンプ、５ドライバ・スピーカーシステムであり、それは２つのツイーター、２つのミッドレンジドライバ及び１つのウーファーを含んでいる。ＰＬＡＹ：５（商標）を通じてオーディオコンテンツを再生する場合、トラックの左側のオーディオデータは、左側のツイーターと左側のミッドレンジドライバから送られる。トラックの右側のオーディオデータは、右側のツイーターと右側のミッドレンジドライバから送られる。また、モノラル低音は、サブウーファーから送られる。さらに、両方のミッドレンジドライバと両方のツイーターが同じイコライゼーション（又は実質的に同じイコライゼーション）を有してもよい。つまり、これらの両方が同じ周波数にて異なるオーディオチャネルから送信される。ＰＬＡＹ：５（商標）は、インターネットラジオ局又はオンライン音楽・ビデオサービスからのオーディオ、ダウンロードされた音楽、アナログオーディオ入力、テレビ、ＤＶＤなどを再生することができる。
【００３７】
ＩＶ．コントローラの例
図５を参照すると、図１の制御デバイス１３０に対応可能なコントローラ５００の例示的なブロック図が示されている。コントローラ５００は、システム内のマルチメディアアプリケーションの制御、自動化及びその他のことを可能にするために使用することができる。特に、コントローラ５００は、ネットワーク上にて利用可能な複数のオーディオソースを選択することを可能にすると共に、無線又は有線のネットワークインタフェース５０８を介して１つ以上のゾーンプレーヤー（例えば、図１のゾーンプレーヤー１０２−１２４）の制御を可能にするように構成することができる。一実施形態によれば、無線通信は、標準規格に基づいている（例えば、赤外線、ラジオ、あるいは、ＩＥＥＥ８０２．１１ａ、８０２．１１ｂ、８０２．１１ｇ、８０２．１１ｎ又は８０２．１５等を含む無線規格）。さらに、特定のオーディオがコントローラ５００を介してアクセスされている場合か、又は特定のオーディオがゾーンプレーヤーを経由して再生されている場合、画像（例えば、アルバムアート）又は他のデータが、オーディオ及び／又はオーディオソースに関連付けられてコントローラ５００へ送信され、あるゾーンプレーヤー又は他の電子機器から表示することもできる。
【００３８】
コントローラ５００には、スクリーン５０２と入力インタフェース５１４が設けられている。これにより、ユーザはコントローラ５００と対話し、例えば、多くのマルチメディア項目の再生リストをナビゲートしたり、１つ以上のゾーンプレーヤーの動作を制御することができる。コントローラ５００上のスクリーン５０２は、例えば、液晶ディスプレイ（ＬＣＤ）スクリーンとすることができる。スクリーン５０２は、マイクロコントローラ（例えば、プロセッサ）５０６によって制御されるスクリーンドライバ５０４と通信すると共に、コマンドを受信する。メモリ５１０は、１つ以上のアプリケーションモジュール５１２をロードすることができる。いくつかの実施形態では、アプリケーションモジュール５１２は、選択された複数のゾーンプレーヤーをゾーングループにグループ化し、ゾーンプレーヤーを同期して、オーディオを再生することができるように構成されている。いくつかの実施形態では、アプリケーションモジュール５１２は、ゾーングループ内のゾーンプレーヤーのオーディオサウンド（例えば、ボリューム）を制御するように構成されている。動作中において、マイクロコントローラ５０６がアプリケーションモジュール５１２の１つ以上を実行するとき、スクリーンドライバ５０４は、スクリーン５０２を駆動するための制御信号を生成し、特定のユーザインタフェースにアプリケーションを表示する。
【００３９】
コントローラ５００は、有線又は無線でゾーンプレーヤーと通信できるネットワークインタフェース５０８を含む。いくつかの実施形態では、ボリュームコントロール及びオーディオ再生同期などのコマンドは、ネットワークインタフェース５０８を介して送信される。いくつかの実施形態では、保存されたゾーングループ構成がネットワークインタフェース５０８を介してゾーンプレーヤーとコントローラとの間に転送される。コントローラ５００は、１つ以上のゾーンプレーヤー、例えば、図１のゾーンプレーヤー１０２−１２４などを制御することができる。特定のシステム用に複数のコントローラを利用することができる。各コントローラは別のコントローラと共通の情報を共有することができる。又は、ゾーンプレーヤーが構成データ（例えば、状態変数など）を格納している場合、ゾーンプレーヤーから共通の情報を取り出すことができる。さらに、コントローラは、ゾーンプレーヤーに統合することができる。
【００４０】
他のネットワーク対応デバイス、例えば、ＩＰＨＯＮＥ（登録商標）、ＩＰＡＤ（登録商標）若しくは他の任意のスマートフォン又はネットワーク対応デバイス（例えば、ＰＣ又はＭＡＣ（登録商標）などのネットワーク・コンピュータなど）は、特定の環境内のゾーンプレーヤーと対話するためのコントローラ、又は制御するためのコントローラとしても使用できることに留意すべきである。いくつかの実施形態では、ソフトウェアアプリケーション又は更新は、ネットワーク対応デバイス上にダウンロードされ、本明細書で述べられている機能を実行できる。
【００４１】
ある実施形態では、ユーザは、コントローラ５００から少なくとも２つのゾーンプレーヤーを含むゾーングループ（結合されたゾーンとも呼ばれる）を作成することができる。ゾーングループ内のゾーンプレーヤーは、同期化された方法でオーディオを再生し、ゾーングループ内のすべてのゾーンプレーヤーが同一のオーディオソースを再生する方法か、試聴遅延がないか又は音が途切れない（試聴遅延がほぼないか又は音の途切れがほぼない）ように同期する方法で、同一のオーディオソースのリストを再生することができる。同様に、いくつかの実施形態では、ユーザがコントローラ５００からグループのオーディオボリュームを大きくするとき、グループのオーディオボリュームを大きくする信号又はデータが、ゾーンプレーヤーの１つに送信され、グループ内の他のゾーンプレーヤーのボリュームを一緒に大きくする。
【００４２】
ユーザは、コントローラ５００を介して、「Ｌｉｎｋ  Ｚｏｎｅｓ（ゾーンをリンク）」又は「Ａｄｄ  Ｚｏｎｅｓ（ゾーンを追加）」のソフトボタンをアクティブにすることによってゾーンプレーヤーをゾーングループにグループ化することができ、又ユーザは、「Ｕｎｌｉｎｋ  Ｚｏｎｅｓ（ゾーンをリンク解除）」又は「Ｄｒｏｐ  Ｚｏｎｅｓ（ゾーンをドロップ）」ボタンをアクティブにすることによってゾーングループをグループ解除することができる。例えば、オーディオを再生するためにゾーンプレーヤーを一緒に「参加させる」ための１つの機構は、複数のゾーンプレーヤーをリンクしてグループを形成することである。
【００４３】
ある実施形態では、ユーザは、例えば、単一のゾーンで始めて、次に、それぞれのゾーンをそのゾーンに手動でリンクすることによって、６つのゾーンプレーヤーのうち任意の数のゾーンプレーヤーだけをリンクすることができる。
【００４４】
ある実施形態では、ゾーンは、コマンドを使用して共に動的にリンクし、（最初にゾーンシーンを作成した後に）ゾーンシーン又はテーマを作成することができる。例えば、「Ｍｏｒｎｉｎｇ（朝）」ゾーンシーンコマンドは、寝室、オフィス、及びキッチンゾーンを１つの動作で一緒にリンクすることができる。この単一のコマンドがないと、ユーザは、各ゾーンを個別に手動でリンクする。単一のコマンドは、マウスクリック、ダブルマウスクリック、ボタンを押すこと、ジェスチャー、又はいくつあの他のプログラムされた動作を含んでもよい。他の種類のゾーンシーンをプログラムすることもできる。
【００４５】
ある実施形態では、ゾーンシーンは、時間（例えば、アラームクロック機能）に基づいてトリガーすることができる。例えば、ゾーンシーンは、午前８：００に適用されるように設定することができる。システムは、適切なゾーンに自動的にリンクすることができ、特定の音楽を再生するように設定することができる。任意の特定のゾーンが時間に基づいて状態を「オン」又は「オフ」にトリガーすることができるが、例えば、ゾーンシーンは、シーンとリンクされた任意のゾーンが、予め定義されたオーディオ（例えば、お気に入りの歌、所定の再生リスト）を、特定の時間に、及び／又は特定の期間で再生可能なようにしている。何らかの理由により、スケジュールされた音楽の再生を失敗した（例えば、再生リストが空である、共有への接続がない、ユニバーサルプラグアンドプレイ（ＵＰｎＰ）の失敗、インターネットラジオ局へのインターネット接続がないなどの）場合、バックアップブザーが鳴るようにプログラムすることができる。
【００４６】
Ｖ．アドホックネットワークの例
以下、例示の目的のために、ある特定の例を図６と関連付けて提供することによって、再生ネットワークへの接続を容易に提供するシステムおよび方法を述べる。図６は、アドホックネットワーク６１０と称されるネットワークブランチを構成する、三つのゾーンプレーヤー６０２、６０４、６０６およびコントローラ６０８を示す。ネットワーク６１０は、無線ネットワークであってもよく、有線ネットワークであってもよく、又は、有線と無線とが混在したネットワークであってもよい。一般的にアドホック（又は「自発的な（ｓｐｏｎｔａｎｅｏｕｓ）」）ネットワークは、ローカルエリアネットワークであるか、又は、一般的に全てのトラフィックに対して一つのアクセスポイントも有しないその他の小さい領域のネットワークである。アドホックネットワーク６１０において、デバイス６０２、６０４、６０６、６０８は、例えば、「ピア・ツー・ピア」スタイルの通信で、互いに通信することができる。更に、１つ以上のデバイスをネットワーク６１０に追加でき、及び／又は、１つ以上のデバイスをネットワーク６１０から取り除くことができる一方、ネットワーク６１０は、ユーザがネットワーク６１０を再構築することなしに自動的にそれ自体を再構築することができる。アドホックネットワークが、図６に示されているが、再生ネットワークは、アドホックネットワークと完全に異なるタイプのネットワークに基づくものや、アドホックネットワークと部分的に異なるネットワークに基づくものであってもよい。
【００４７】
アドホックネットワーク６１０を使用することによって、デバイス６０２、６０４、６０６、６０８は、１つ以上のオーディオソースを共有したり、交換したりすることができ、又、同じ若しくは異なるオーディオソースを出力する際に動的にグループ化することができる。例えば、デバイス６０２、６０４は、音楽のワンピース（一節）を出力する際にグループ化されてもよく、その際に、デバイス６０６が、音楽の他のピース（一節）を出力してもよい。例えば、図６に示すデバイス６０２、６０４、６０６、６０８は、オーディオの配信とサウンドの再生とのうちの少なくとも一方を実行するハウスホールド（ＨＯＵＳＨＯＬＤ）を構成する。ここで使用される用語「ハウスホールド」は、ユーザの住居を意味するものではなく、アプリケーションやサービスを提供する際に協働するネットワークデバイスの全体を表す。ある「ハウスホールド」は、例えば、ハウスホールド（又は、ハウスホールド識別子）６１０で特定されるが、「ハウスホールド」は、異なるエリアで特定されてもよい。
【００４８】
ある実施形態では、ハウスホールド識別子（ＨＨＩＤ）は、個（ユニーク）を区別するためにコンピュータで生成される、短い文字列又は識別子である。ネットワーク６１０は、特有のＨＨＩＤと、構成変数であるパラメータの特有のセットとによって特徴づけられる。構成変数すなわちパラメータの特有のセットとしては、例えば、チャンネル（例えば、個別の周波数帯域）、サービスセットＩＤ（ＳＳＩＤ）（無線ネットワーク名としての、アルファベットと数字とを組み合わせてなる一連の文字列）およびＷＥＰキー（有線と同等のプライバシーまたはその他のセキュリティキー）がある。ある実施形態では、ＳＳＩＤは、ＨＨＩＤと同じになるように設定される。
【００４９】
ある実施形態では、各ハウスホールドは、二つのタイプのネットワークノード、すなわち、制御点（ＣＰ）と、ゾーンプレーヤー（ＺＰ）とを含む。制御点は、要求されるネットワークパラメータ（例えば、ＷＥＰキー）の自動生成を含む、全ネットワーク設定過程および優先順位付け（ｓｅｑｕｅｎｃｉｎｇ）を制御する。一実施形態では、ＣＰは、ユーザにハウスホールド構成ユーザインタフェースを提供する。ＣＰ機能は、コンピュータ稼働ＣＰアプリケーションモジュールによって提供されるか、又は、ＣＰアプリケーションモジュールが実行される携帯式のコントローラ（例えば、コントローラ３０８）によって提供される。ゾーンプレーヤーは、自動的構成過程に加わる他のデバイスである。この明細書で使用される表記ＺＰは、例えば、コントローラ３０８やコンピュータ処理を行うデバイスを含む。いくつかの実施形態では、機能か又は機能の一部は、ＣＰおよびＺＰの両方において、シングルノード（例えば、ＺＰは、ＣＰを含むか、あるいは、その逆もまた成立する）で結合される。
【００５０】
ある実施形態では、ハウスホールドの構成は、複数のＣＰ及び複数のＺＰを含み、複数のＣＰ及び複数のＺＰは、集合して公知の構成を確立することによって、それらは通信における基準ネットワークプロトコル（例えば、有線又は無線イーサネット（登録商標）上でのＩＰ）を使用することができる。一実施形態では、２つのタイプのネットワーク／プロトコルである、イーサネット（登録商標）８０２.３と無線８０２.１１ｇとが利用される。ＣＰとＺＰとの間の相互接続は、ネットワーク／プロトコルのいずれかを使用することにより実現することができる。システム内のデバイスは、ハウスホールドのメンバーとして、両方のネットワークに同時に接続できる。
【００５１】
２つのネットワークを使用することができる環境では、システム内の少なくとも１つのデバイスは、ブリッジデバイスとして両方に接続され、これによって、有線／無線ネットワークの間のブリッジサービスが提供される。図６では、例えば、ゾーンプレーヤー６０６が、２つのネットワークに接続可能であることが示されている。ネットワーク６１２への接続は、イーサネット（登録商標）および無線のうちの少なくとも一方に基づいて行われ、望むのであれば、他のデバイス６０２、６０４、６０８への接続は、無線およびイーサネット（登録商標）に基づいて行われる。
【００５２】
いくつかの実施形態では、各ゾーンプレーヤー６０２、６０４、６０６は、ブリッジデバイスを介してクラウド（例えば、インターネット）からメディアを読み出すときに、インターネットにアクセスすることができる。例えば、ゾーンプレーヤー６０２は、クラウド内の特定のオーディオトラックのアドレスを規定するユーアールエル（ＵＲＬ）を含んでもよい。ＵＲＬを使用することによって、ゾーンプレーヤー６０２は、クラウドからオーディオトラックを読み出し（検索し）てもよく、最終的に１つ以上のゾーンプレーヤーからのオーディオを出力してもよい。
【００５３】
ＶＩ.システム構成の例
図７に、クラウドベースネットワークと、少なくとも一つのローカル再生ネットワークとを含む複数のネットワークを有するシステムを示す。ローカル再生ネットワークは、複数の再生デバイス又は複数の再生プレーヤーを含むが、再生ネットワークは再生デバイスを１つだけ含むものであってもよい。ある実施形態では、各プレーヤーは、再生するコンテンツを読み出すアビリティを有する。例えば、制御およびコンテンツの読み出しは、分散することもできるし、集中させることもできる。入力には、ストリーミングコンテンツプロバイダーによる入力、サードパーティアプリケーションによる入力、モバイルデバイスによる入力、ユーザによる入力、及び／又はローカル配信および再生のために、クラウドへ入力する他の再生ネットワークによる入力が含まれる。
【００５４】
図７の例示的なシステム７００に示すように、複数のコンテンツプロバイダー７２０−７５０を、クラウド及び／又は他のネットワーク７１０を介して、１つ以上のローカル再生ネットワーク７６０−７７０に接続することができる。クラウド７１０を使用することによって、マルチメディア再生システム７２０（例えば、Ｓｏｎｏｓ（登録商標））、モバイルデバイス７３０、サードパーティアプリケーション７４０、コンテンツプロバイダー７５０等が、マルチメディアコンテンツ（要求されたものかまたはそうでなもの）を、ローカル再生ネットワーク７６０、７７０に提供する。各ローカル再生ネットワーク７６０、７７０内では、コントローラ７６２、７７２及び再生デバイス７６４、７７４が使用されて、オーディオコンテンツを再生することができる。
【００５５】
ＶＩＩ．複数の変換再生デバイスの例
複数の変換再生デバイス、例えば、少なくとも１つのツイーター及び少なくとも１つのウーファーを備える再生デバイス等（例示的な再生デバイス２００）では、変換器の配置及び構成は、視聴者が試聴する全体再生に影響を与える。各変換器によって出力される音波は、周りの環境と作用し合うかもしれないし（例えば、ノイズバッフルによって吸収されるかもしれないし、固定壁に反射されるかもしれない等）、再生デバイスの他の変換器と作用し合うかもしれない。例えば、ウーファーの物理的構造は、ツイーターによる音波出力と作用し合うかもしれない。いくつかの例では、広範囲の分散又は低指向性（例えば、「無指向性」）によって、ツイーターからの音波出力が四方八方に進む（又は放射する）が、ツイーターから出力される音波の低周波成分が再生デバイスの表面に対して実質的に水平に進み、かつウーファーに向かって進んでもよい。更に、再生デバイスの表面に沿って（又は再生デバイスの表面のほぼ近くを）進む音波は、エッジを通過するように、それに応じて曲がってもよい（又は回り込ませてもよい）。この現象は、叫んでいる人から角を曲がったところに立っている状態で、叫んでいる人の叫びを聞くことができることと似ている。
【００５６】
ツイーターからのオーディオ出力（又は音波）の低周波成分がウーファーに到達すると、ツイーターの出力は、大きく反射する一方、周波数応答問題が生じる。例えば、再生デバイスは、（ウーファーに関連して）高い位置に置かれたツイーターを含み、ツイーターとウーファーとの間に「リップ」又は「ステップ」を生じさせる。その結果、ツイーターから出力される音波のいくつかの成分は、下向きの角度でウーファーに向かって進み、及び／又は再生デバイスの表面に沿って（又は再生デバイスの表面の実質的に近くを）ウーファーに向かって進んでもよい（例えば、音波は、「リップ」又は「ステップ」を超えて進む（又は）曲がる）。この干渉を減らすためには、いくつかの再生デバイスは、ツイーターをウーファーに比較的に近づけて位置付けられる。しかしながら、この位置付けは、ツイーターをウーファーコーンのキャビティの近くに配置するため、キャビティからのディップ又はノッチに起因する干渉パターン又は回折が生じる。いくつかの他の例では、フラットなフロントウーファーが使用され、従来のコーンスピーカーの多くのキャビティによって生じる周波数応答ディップを避けようとしている。しかしながら、フラットなフロントウーファーは、いかなるステップ又はディップによる干渉を取り除く（又は実質的に減らす）が、他の問題、例えば、ドップラー歪みや相互変調歪み（ＩＭＤ）がツイーターの周波数応答に影響を与え続けるかもしれない。更に、十分な剛性を有する壊れないウーファーコーンを設計することが困難であるが、それでも低質量を維持している。ドラムヘッドのようにフラットなコーンウーファーが振動することを防止するため、多くのフラットコーンウーファーが堅く作られているが、比較的重い。
【００５７】
ＶＩＩＩ．アコースティックグリルの例
図８は、例示的なアコースティックグリル８２５を含む例示的な再生デバイス８００の側面図を示す。図９は、アコースティックグリル８２５を含む再生デバイス８００の斜視図を示す。再生デバイス８００は、例示的な下側バッフル８０５と、例示的な上側バッフル８１０と、を含む。いくつかの例では、下側バッフル８０５及び上側バッフル８１０は、１つのバッフルで構成されている。図示された例では、例示的なウーファー８１５が下側バッフル８０５の面に設けられ、例示的なツイーター８２０が上側バッフル８１０の面に設けられている。図８の上側バッフル８１０は、下側バッフル８０５に対して高い位置に配置されることによって、下側バッフル８０５の表面から上側バッフル８１０へ「ステップ」が生じるか、又はコンター（例えば、湾曲した「リップ」又は「ディップ」）において他の変化が生じる。アコースティックグリル８２５は、下側バッフル８０５の上部に配置され（又は実質的に同一平面に配置され）、ウーファー８１５を覆っている。例えば、アコースティックグリル８２５は、下側バッフル８０５の上部に直接配置されてもよく、又は例えば、スペーサによって分割されてもよいが、下側バッフル８０５内に設けられた変換器（例えば、ウーファー８１５）によって受信された一部の若しくは全ての音波、又は出力される一部の若しくは全ての音波に効果的に影響を与える。図示された例では、アコースティックグリル８２５は、上側バッフル８１０に隣接して位置付けられ、上側バッフル８１０と下側バッフル８０５との間の段差を取り除く。しかしながら、他の位置付け配置も可能である。例えば、アコースティックグリル８２５は、下側バッフル８０５と上側バッフル８１０を覆うように位置付けられてもよい。
【００５８】
上述したように、変換器（例えば、スピーカ−）からのオーディオ出力は、複数の波成分を含む。これらの波成分のそれぞれは、変換器から異なる方向に進む。図８に図示された例では、オーディオ波（又は音波）のより高周波成分（例えば、例示的な波成分８３０、８３２、８３４、及び８３６）は、再生デバイス８００の表面と実質的に垂直な角度（又は実質的に垂直に近い角度）で出力される。反対に、オーディオ波の低周波成分（例えば、例示的な波成分８４０、８４２、８４４、及び８４６）は、再生デバイス８００の表面に比較的水平な角度で出力される。上述したように、これらの波成分は、再生デバイス８００の物理的構造によって影響され得る。図示された例では、波成分８４０及び８４２は、上側バッフル８１０の面に沿って曲がる。いくつかの例では、波成分は、下側バッフル８０５の面に沿って曲がって（又は進行方向を変更して）進む、及び／又は凹状ウーファー８１５によって作られたキャビティ内へ進む。
【００５９】
図示された例では、アコースティックグリル８２５は、音響の遮断特性が可変なグリルである。言い換えると、アコースティックグリル８２５では、受信した波成分が均一に作用し合わない。例えば、アコースティックグリル８２５は、アコースティックグリル８２５の表面に対し、高入射角度の波成分については音響的に通過特性を有している（即ち、オープンである）。例えば、波成分８３２、８３４、及び８３６が、アコースティックグリル８２５を通過する。対照的に、アコースティックグリル８２５は、アコースティックグリル８２５の表面に対し、低入射角度の波成分については音響的に遮断特性を有している（即ち、不透明である）。例えば、波成分８４４と８４６は、アコースティックグリル８２５を通過するよりもむしろ、アコースティックグリル８２５で反射する。いくつかの例では、ツイーター８２０からの波成分（例えば、例示的な波成分８４２）であってウーファー８１５に向かって曲がる波成分は、進行方向に進み続けるのが妨げられ、アコースティックグリル８２５の表面で反射する。
【００６０】
図示された例では、アコースティックグリル８２５は、任意の材料から構成されてもよい。任意の材料として、音波の一部（例えば、高入射角度の波成分）が材料を通過することができ、又、別の音波の一部（例えば、低入射角度の波成分）については通過することを妨げる、及び／又は音波の一部を反射する特性を有する材料である。例えば、アコースティックグリル８２５は、小型セルを有する網状発泡体で構成されてもよい。いくつかの例では、アコースティックグリル８２５の表面は、多孔質面であってもよい。しかしながら、他の発砲プラスチック又は材料を使用してもよい。例えば、アコースティックグリル８２５は、布によって覆われた有線フレームを含み、高入射角度の波成分が通過することができると共に、低入射角度の波成分の通過を妨げる／低入射角度の波成分を反射するという特性と同様の特性を有する。いくつかの例では、アコースティックグリル８２５においては、高入射角度の波成分と、低入射角度の波成分と、を分ける閾値角度が設定されてもよい。例えば、アコースティックグリル８２５の表面に対して１０°より小さい入射角のすべての波成分は、材料の通過を妨げるようにしてもよい。
【００６１】
複数の変換器が収められた再生デバイス（例えば、再生デバイス８００）においてアコースティックグリル８２５を使用することによって、複数の変換器間の干渉問題をほぼ解消することができる（又は実質的に減らすことができる／抑制することができる）。例えば、複数の変換器の上部に配置されたアコースティックグリル８２５は、複数の変換器間の干渉を完全に防止するか、又は阻止することができ、あるいは音波が互いに干渉することを効果的に防止することができる（例えば、実質的に干渉を抑制することができる）。例えば、高い位置に置かれたツイーター８２０が再生デバイス８００内で使用されるとき（例えば、ツイーター８２０のドームの上部が上側バッフル８１０の面の上方に置かれているとき）、低周波成分は、ウーファー８１５の方向に出力されてもよい。しかしながら、アコースティックグリル８２５は、アコースティックグリル８２５の表面に対し、低角度で入射する低周波成分については通過を妨げる。その結果、いくつかの例では、ツイーター８２０用の低角度（又は低指向性）の導波路が使用され、試聴領域内において音質を向上させた領域を増やしている（例えば、スイートスポットを増やしている）。これは、導波路を使用して音波がツイーターからウーファーに向かって放射されることを防止して、スイートスポットを減らすこととは対照的である。
【００６２】
図８及び図９に示された例は、変換器（例えば、ツイーター８２０、ウーファー８１５）から出力された波成分と作用し合うアコースティックグリル８２５の底部に関連しているが、音波がアコースティックグリル８２５の上部又は他のどの表面に作用しても、アコースティックグリル８２５は、同じように機能する。例えば、音波のうち低入射角度の波成分は、アコースティックグリル８２５を通過することを妨げられ、ウーファー８１５に入ることを妨げられる。したがって、アコースティックグリル８２５は、外部ノイズ源を同様に拡散する。
【００６３】
図１０は、再生デバイス１０００の例を示しており、再生デバイス１０００は、例示的な第１ツイーター１００５、例示的な第２ツイーター１０１０、例示的な第１ミッドレンジドライバ１０１５、例示的な第２ミッドレンジドライバ１０２０、及び例示的なローレンジウーファー１０２５を含んでいる。図示された例では、ミッドレンジドライバ１０１５と１０２０、及びローレンジウーファー１０２５は、例示的なアコースティックグリル１０３０に覆われている。図１１は、再生デバイス１０００の側面図であって、第１ツイーター１００５、第２ツイーター１０１０、及びアコースティックグリル１０３０を示す。上述したように、任意の例示的な変換器１００５、１０１０、１０１５、１０２０、及び／又は１０２５から出力された低入射角度の波成分は、通過を妨げられ／反射され、他の例示的な変換器１００５、１０１０、１０１５、１０２０、及び／又は１０２５と相互作用しない。
【００６４】
図１１に図示された例では、アコースティックグリル１０３０は、傾斜エッジを有する。傾斜エッジによって、アコースティックグリル１０３０は、第１ツイーター１００５及び第２ツイーター１０１０から出力されたオーディオの左右への分割を向上させている。言い換えれば、アコースティックグリル１０３０の傾斜エッジは、左チャンネルオーディオ出力が、視聴者の右側をクロスオーバーすることを阻止し（又は実質的に防止し）、逆の場合も同じである。例えば、アコースティックグリル１０３０は、左チャンネルオーディオ出力がクロスオーバーすることを完全に阻止することができるか、又はクロスオーバー効果が視聴者によって気づかれることを効果的に防止することができる（例えば、実質的にクロスオーバーを防止することができる）。
【００６５】
別の例では、１つ以上の変換器がアコースティックグリルの後方に配置されて、外部ソースから音波を受信してもよい。例えば、アコースティックグリルは、変換器（例えば、マイクロフォン）のアレイの上に配置されてもよい。例えば、オーディオソース（例えば、話している人）は、変換器のアレイに向けて音波を出力するとき、アコースティックグリルは、様々な角度で音波を受信する。しかしながら、アコースティックグリルが、比較的低入射角度で受信した音波をフィルタ処理するため、アコースティックグリルを通過する音波は、オーディオソースの一般的な方向を示す。例えば、変換器のレベル測定（例えば、音圧レベル、電気信号出力等）を監視すること、及びアコースティックグリルを通過する音波の入射角度を特定することによって、オーディオソースの位置を決定することができる。
【００６６】
別の例では、再生デバイスは、入力変換器（例えば、マイクロフォン）及び出力変換器（例えば、スピーカー）を含んでもよい。いくつかのそのような例では、入力変換器は、部屋の中のユーザの位置（又は、部屋の中にユーザがいない場合）を特定し、出力変換器の特性をそれに応じて調整してもよい。例えば、出力変換器は、部屋の中にユーザがいないと特定した場合、音レベルを自動的に下げてもよい。あるいは、出力変換器は、部屋の中にユーザがいないと特定した場合、音レベルを自動的に上げてもよい。別の例では、個々の出力変換器の音特性が、部屋の中にいるユーザの位置に基づいて自動的に調整してもよい。例えば、ユーザが部屋の隅にいると特定された場合、個々の変換器のゲインレベル又は音レベルを変更して、ユーザが最高の全体再生を試聴できる状態を提供し続けることができる。
【００６７】
複数の変換再生デバイス内の音響を最適化するための、例示的な処理１２００を示すフローチャートが図１２に示されている。処理１２００は、ブロック１２０５で、図８の例示的なアコースティックグリル８２５が音波を受信して、開始する。例えば、再生デバイス８００は、オーディオ入力を処理し、変換器（例えば、スピーカー）を介して音波を出力する。図示された例では、変換器（例えば、例示的なツイーター８２０）から放射される（又は出力される）音波の波成分は、アコースティックグリル８２５の表面に対して複数の入射角度で、アコースティックグリル８２５によって受信される。ブロック１２１０で、アコースティックグリル８２５が低入射角度の波成分を受信すれば、ブロック１２１５で、アコースティックグリル８２５は、波成分の通過を妨げる。例えば、波成分は、再生デバイス８００の表面に沿って（又は再生デバイス８００の表面の実質的近くを）進むと共に、ウーファー８１５に向かって進んでもよい。その結果、アコースティックグリル８２５は、波成分の通過を妨げ（又は波成分を反射し）、ツイーター８２０から出力される波成分に起因する干渉問題を防止する（又はほぼ取り除く又は抑制する）。これで処理１２００が終了する。
【００６８】
ブロック１２１０に戻って、波成分がアコースティックグリル８２５の表面に対して高入射角度を有する場合、次に、ブロック１２２０で、波成分がアコースティックグリル８２５を通過する。いくつかの例では、アコースティックグリル８２５の特性は、閾値角度を含む。波成分の入射角度が閾値角度より小さいとき、波成分は、アコースティックグリル８２５を通過することを妨げる。いくつかの例では、波成分の入射角度が閾値角度よりも大きい場合、波成分は、アコースティックグリル８２５を通過する。その後、処理１２００は、終了する。
【００６９】
図１３は、複数の変換再生デバイス内の音響出力を最適化するための別の例示的な処理１３００を示すフローチャートである。処理１３００は、ブロック１３０５で、再生デバイス８００がオーディオ信号を受信するときに開始する。例えば、再生デバイス８００は、別の再生デバイスからネットワークインタフェース４０２を介してオーディオを受信してもよいし、オーディオソース（例えば、クラウド、ネットワーク接続ストレージ等）からオーディオを取り出してもよい。ブロック１３１０で、オーディオ信号が再生デバイスで処理される。例えば、オーディオ処理コンポーネント４１２は、ウーファー８１５のゲインを調整してもよい。いくつかの例では、オーディオ処理コンポーネント４１２は、ドライバのイコライゼーション設定を、オーディオ信号（例えば、左と右のオーディオチャンネル）の特性、試聴領域の特性等に少なくとも部分的に基づいて調整してもよい。例えば、オーディオ処理コンポーネント４１２は、部屋の中にいる視聴者の位置に関する情報を、カメラなどのセンサを介して受信してもよい。いくつかのそのような例では、オーディオ処理コンポーネント４１２は、オーディオ信号の特性を調整し、オーディオを視聴者の位置に向けてもよい。
【００７０】
ブロック１３１５で、処理されたオーディオ信号に対応する音波が出力される。例えば、処理されたオーディオ信号は、例示的なアンプ４１６に提供され、ウーファー８１５及びツイーター８２０を介して出力されてもよい。図示された例では、音波の波成分は、ドライバから外側へ全ての方向に放射する。
【００７１】
上述したように、いくつかの波成分の少なくとも一部が物理的な変換器構造上で変更されてもよい。例えば、ツイーターからの低周波成分は、ウーファーコーンの構造及び／又はウーファーの上下（例えば、「サンピング（ｔｈｕｍｐｉｎｇ）」）動作によって変更されてもよい。ブロック１３２０で、アコースティックグリル８２５へ入射する音波の波成分は、フィルタ処理される。例えば、第１音波の低入射角度の波成分は、アコースティックグリル８２５によって通過を妨げられてもよい。更に、音波の高入射角度の波成分が、アコースティックグリル８２５を通過してもよい。処理は、ブロック１３２５で、オーディオが再生デバイスから試聴領域に出力されるときに終了する。図示された例では、音波の一部（例えば、高入射角度の波成分）が出力され、視聴者が試聴する。
【００７２】
ＩＸ．結論
上述したように、複数の変換再生デバイス内の音響を最適化するための装置及び方法が提供される。本明細書で述べられた実施形態は、アコースティックグリルを提供し、及び／又は使用し、音波の波成分をフィルタ処理することによって、波成分の一部のみがアコースティックグリルを通過する。本明細書で述べられた実施形態は、音波の波成分を選択的に反射し、互いに交差することを防止することができる。
【００７３】
例示的な実施形態は、再生デバイスを含み、再生デバイスは、音波の出力と、音波の受信とのうち少なくとも一方を行う第１変換器、及び音波の出力と、音波の受信とのうち少なくとも一方を行う第２変換器、を備え、第２変換器は、第１変換器に隣接して配置されている。例示的な再生デバイスは、第１変換器に対して配置されたアコースティックグリルを含み、アコースティックグリルは、第１入射角度で受信した音波を反射する。いくつかの例では、アコースティックグリルは、第２入射角度で受信した音波を通過させる。いくつかのそのような例では、アコースティックグリルは、閾値入射角度を有し、第１入射角度は閾値角度より小さい。いくつかの例では、第２入射角度は閾値角度より大きい。いくつかの実施形態では、アコースティックグリルは、第１変換器上に配置されている。いくつかの例では、アコースティックグリルは、第２変換器のバッフルと実質的に同一平面に配置されている。いくつかの実施形態では、アコースティックグリルの位置は、第１変換器と第２変換器との間の音波干渉を抑制している。いくつかの実施形態では、アコースティックグリルは、第１変換器と第２変換器との間に配置されている。いくつかのそのような例では、アコースティックグリルの位置は、第１変換器と第２変換器との間の音波の分離を向上させている。いくつかの例では、第１変換器が音波を受信し、第２変換器が少なくとも音波を出力する場合、アコースティックグリルは、第１変換器によって受信される出力音波を反射することができる。
【００７４】
別の例示的な実施形態は、少なくとも第１波成分と、第２波成分とを有する音波を調整する方法を含む。例示的な方法は、アコースティックグリルにおいて第１波成分を第１入射角度で受信するステップを含み、アコースティックグリルは、複数の変換器に関連して配置される。いくつかの例では、更に、方法はアコースティックグリルにおいて第２成分を第２入射角度で受信するステップを含む、いくつかの例では、更に、方法は、第１入射角度に基づいて第１波成分を反射するステップを含む。いくつかの例では、更に、方法は、第２入射角度に基づいて第２波成分を通過させるステップを含み，第１入射角度は、閾値角度より小さい。いくつかの例では、第２入射角度は、閾値角度より大きい。いくつかの例では、アコースティックグリルは、複数の変換器の上部に配置されている。いくつかのそのような例では、アコースティックグリルは、複数の変換器間の音波干渉を減らしている。いくつかの例では、複数の変換器の一部は、アコースティックグリルを通過した音波を受信する。いくつかの例では、音波ソース位置は、複数の変換器の一部に基づいて特定される。いくつかの例では、アコースティックグリルは、複数の変換器のうち１つ以上の変換器間に配置されている。いくつかのそのような例では、アコースティックグリルは、複数の変換器のうち１つ以上の変換器間の音波の分離を向上させている。
【００７５】
別の例示的な実施形態は、第１バッフル、第２バッフル、及びアコースティックグリルを備える再生デバイスを含む。いくつかの実施形態では、第１バッフルは、第１変換器、及び第２表面に対向する第１表面、を含み、第１変換器は第１表面に設けられている。いくつかの例では、第２バッフルは、第１バッフルに隣接して設けられており、第２バッフルは、第２変換器、及び第４表面に対向する第３表面、を含み、第２変換器は第３表面に設けられている。いくつかの実施形態では、第３表面と第４表面との間の距離は、第１表面と第２表面との間の距離と異なる。いくつかの例では、アコースティックグリルは、第１バッフルの上部に配置されると共に、第２バッフルと実質的に同一平面に配置されている。いくつかの実施形態では、アコースティックグリルは、第１入射角度で受信された音波を反射することができると共に、第２入射角度で受信された音波を通過させることができ、アコースティックグリルの位置は、第１変換器と第２変換器との間の音波干渉を実質的に抑制することができる。いくつかの実施形態では、アコースティックグリルの位置は、第１変換器と第２変換器との間の音波の分離を向上させることができる。
【００７６】
本明細書は、様々な例示のシステム、方法、装置、及び製品を開示しており、それらは、他のコンポーネントの中で、ハードウェア上で実行されるファームウェア及び／又はソフトウェアを含む。しかしながら、そのような例は、単なる例示であり、限定されるものとみなすべきではない。例えば、これらのファームウェアコンポーネント、ハードウェアコンポーネント、及び／又はソフトウェアコンポーネントのいくつか又はすべてが、専らハードウェアに、専らソフトウェアに、専らファームウェアに、又はハードウェア、ソフトウェア、及び／又はファームウェアの任意の組み合わせに具現化することができることが意図されている。したがって、例示のシステム、方法、装置、及び／又は生産物を説明しているが、提供されるそれらの例は、それらのシステム、方法、装置、及び／又は生産物を実施する唯一の方法ではない。
【００７７】
更に、本明細書において「実施形態」は、実施形態に関連して述べられた特定の特徴、構造、又は特性が、本発明の少なくとも１つの実施例に含まれ得ることを示している。本明細書の様々な場所でこの語句が用いられているが、すべてが同じ実施形態を言及するものではなく、又、他の実施形態を除いた別個の実施形態又は代替の実施形態でもない。このように、本明細書で述べられた実施形態は、明示的に及び暗黙的に、当業者によって、他の実施形態砥組み合わせることができることが理解される。
【００７８】
本明細書は、例示的な環境、システム、手順、ステップ、論理ブロック、処理、及び他のシンボル表現に関して広く示されており、それらは直接又は間接的にネットワークに接続されるデータ処理デバイスの動作に類似するものである。これらの処理説明及び表現は、一般的に当業者によって使用され、それらの仕事の内容を他の当業者に最も効率良く伝えることができる。多くの具体的な内容が、本開示を理解するために提供されている。しかしながら、当業者にとって、本開示の特定の実施形態が特定の、具体的な詳細なしに実施され得ることは理解される。他の例では、周知の方法、手順、コンポーネント、及び回路が、実施形態を不必要に曖昧にすることを避けるため、詳細に説明していない。したがって、本開示の範囲は、上記した実施形態よりむしろ添付された特許請求の範囲によって定義される。
【００７９】
添付の特許請求の範囲のいずれかが単にソフトウェア及び／又はファームウェアへの実装をカバーするように読み取ると、少なくとも１つの例における要素の１つ以上は、本明細書では、ソフトウェア及び／又はファームウェアを記憶する有形媒体、例えば、メモリ、ＤＶＤ、ＣＤ、Ｂｌｕ−ｒａｙ（登録商標）等を含むことが明確に定められている。
【図１】
2015528677.tif 000003
【図２Ａ】
2015528677.tif 000004
【図２Ｂ】
2015528677.tif 000005
【図２Ｃ】
2015528677.tif 000006
【図３】
2015528677.tif 000007
【図４】
2015528677.tif 000008
【図５】
2015528677.tif 000009
【図６】
2015528677.tif 000010
【図７】
2015528677.tif 000011
【図８】
2015528677.tif 000012
【図９】
2015528677.tif 000013
【図１０】
2015528677.tif 000014
【図１１】
2015528677.tif 000015
【図１２】
2015528677.tif 000016
【図１３】
2015528677.tif 000017
【手続補正書】
【提出日】平成27年4月22日(2015.4.22)
【手続補正１】
【補正対象書類名】特許請求の範囲
【補正対象項目名】全文
【補正方法】変更
【補正の内容】
【特許請求の範囲】
【請求項１】
音波の出力と、音波の受信とのうち少なくとも一方を行う第１変換器、
音波の出力と、音波の受信とのうち少なくとも一方を行う第２変換器、ここで第２変換器は第１変換器に隣接して配置される、
第１入射角度で受信した音波を反射するアコースティックグリル、ここでアコースティックグリルは第１変換器上に配置され、第１変換器と第２変換器との間の音波の干渉を実質的に抑制する、
を備える、再生デバイス。
【請求項２】
アコースティックグリルは、第２入射角度で受信した音波を通過させる、請求項１に記載の再生デバイス。
【請求項３】
アコースティックグリルは、閾値角度を有し、
第１入射角度は、閾値角度より小さい、
請求項２に記載の再生デバイス。
【請求項４】
第２入射角度は、閾値角度より大きい、請求項２または３に記載の再生デバイス。
【請求項５】
アコースティックグリルは、第２変換器のバッフルと実質的に同一平面に配置される、請求項１〜４のいずれか一項に記載の再生デバイス。
【請求項６】
アコースティックグリルの位置は、第１変換器と第２変換器との間の音波の分離を向上させる、請求項１〜５のいずれか一項に記載の再生デバイス。
【請求項７】
第１変換器は、音波を受信し、
第２変換器は、少なくとも音波を出力し、
アコースティックグリルは、第１変換器によって受信される出力音波を反射する、
請求項１〜６のいずれか一項に記載の再生デバイス。
【請求項８】
音波の出力と、音波の受信とのうち少なくとも一方を行う第１変換器、
音波の出力と、音波の受信とのうち少なくとも一方を行う第２変換器、ここで第２変換器は第１変換器に隣接して配置される、
第１入射角度で受信した音波を反射するアコースティックグリル、ここでアコースティックグリルは第１変換器と第２変換器との間に配置され、第１変換器と第２変換器との間の音波の干渉を実質的に抑制する、再生デバイス。
【請求項９】
アコースティックグリルは、第２入射角度で受信した音波を通過させる、請求項８に記載の再生デバイス。
【請求項１０】
アコースティックグリルは、閾値角度を有し、
第１入射角度は、閾値角度より小さい、
請求項９に記載の再生デバイス。
【請求項１１】
第２入射角度は、閾値角度より大きい、請求項９または１０に記載の再生デバイス。
【請求項１２】
アコースティックグリルは、第２変換器のバッフルと実質的に同一平面に配置される、請求項８〜１１のいずれか一項に記載の再生デバイス。
【請求項１３】
アコースティックグリルの位置は、第１変換器と第２変換器との間の音波の分離を向上させる、請求項８〜１２のいずれか一項に記載の再生デバイス。
【請求項１４】
第１変換器から第１波成分を第１入射角度で、アコースティックグリルで受信するステップ、ここでアコースティックグリルは第１変換器と第２変換器とに関連して配置される、
第１変換器から第２波成分を第２入射角度で、アコースティックグリルで受信するステップ、
（ｉ）第１波成分を、閾値角度より小さい第１入射角度に基づいて反射することによって、及び（ｉｉ）第２波成分を、閾値角度より大きい第２入射角度に基づいて通過させることによって、第１変換器と第２変換器との間の音波の干渉を実質的に減少するステップ、
を含む、方法。
【請求項１５】
第１変換器と第２変換器とに対するアコースティックグリルの位置は、（ａ）第１変換器上、（ｂ）第２変換器上、（ｃ）第１変換器と第２変換器との間、のうち少なくとも１つ以上である、請求項１４に記載の方法。
【手続補正２】
【補正対象書類名】図面
【補正対象項目名】図６
【補正方法】変更
【補正の内容】
【図６】
2015528677.tif 000018
【国際調査報告】
2015528677.tif 000019
2015528677.tif 000020